(57)【特許請求の範囲】
【請求項１】
敷設するケーブルの属性を格納するケーブル基礎情報記憶部と、
前記ケーブルの敷設先のラックに関する情報を含むケーブル敷設情報を格納するケーブル敷設情報記憶部と、
作業員の一人あたりの延線力を含む前記ケーブルの敷設に用いる保有機材に関する情報を格納する保有機材情報記憶部と、
前記ケーブルの敷設ルートに関する情報を前記ケーブルの各曲り点及び前記曲り点の直後の直線部毎に格納するルート情報記憶部と、
前記ケーブルの規格電圧及び前記ケーブルの種類毎に前記ケーブルの質量を近似的に算出するための質量近似式を格納する質量近似式記憶部と、
敷設する前記ケーブルの属性を前記ケーブル基礎情報記憶部から読み出し、前記ケーブルの敷設先の前記ラックに関する情報を含む前記ケーブル敷設情報を前記ケーブル敷設情報記憶部から読み出し、前記作業員の一人あたりの前記延線力を前記保有機材情報記憶部から読み出し、前記ケーブルの規格電圧及び前記ケーブルの種類毎に前記ケーブルの質量を近似的に算出するための前記質量近似式を前記質量近似式記憶部から読み出し、前記ケーブルの敷設ルートに関する情報を前記ルート情報記憶部から読み出し、敷設する前記ケーブルの属性及び前記質量近似式に基づいて前記ケーブルの単位質量を算出し、敷設する前記ケーブルの前記属性及び前記単位質量に基づいて延線張力を算出し、前記延線張力、前記作業員の一人あたりの前記延線力、及び前記敷設ルートに関する情報に基づいて前記ケーブルの各前記曲り点の直後の直線部毎に前記作業員の人数を算出する制御部と、
を備える延線計画装置。
【請求項２】
ケーブルを曲げる方向を示す情報である曲り方向毎に使用するコロの種類を格納するコロテーブル記憶部をさらに備え、
前記制御部は、
前記保有機材に関する情報を前記保有機材情報記憶部から読み出し、曲り方向毎に使用する前記コロの種類を前記コロテーブル記憶部から読み出し、前記保有機材に関する情報、曲り方向毎に使用する前記コロの種類、及び前記敷設ルートに関する情報に基づいて曲がり点毎に必要な機材の種類及び数を算出する請求項１記載の延線計画装置。
【請求項３】
情報を出力する表示装置をさらに備え、
前記制御部は、
前記敷設ルートに関する情報に基づいて延線ルートを前記表示装置に出力し、前記直線部毎に作業員の配置と人数を前記表示装置に出力し、前記曲がり点毎に必要機材の種類及び数を前記表示装置に出力する請求項２記載の延線計画装置。
【請求項４】
敷設するケーブルの属性を格納するケーブル基礎情報記憶部と、
前記ケーブルの敷設先のラックに関する情報を含むケーブル敷設情報を格納するケーブル敷設情報記憶部と、
作業員の一人あたりの延線力を含む前記ケーブルの敷設に用いる保有機材に関する情報を格納する保有機材情報記憶部と、
前記ケーブルの敷設ルートに関する情報を前記ケーブルの各曲り点及び前記曲り点の直後の直線部毎に格納するルート情報記憶部と、
前記ケーブルの規格電圧及び前記ケーブルの種類毎に前記ケーブルの質量を近似的に算出するための質量近似式を格納する質量近似式記憶部と、
を備えるコンピュータを、
敷設する前記ケーブルの属性を前記ケーブル基礎情報記憶部から読み出し、前記ケーブルの敷設先の前記ラックに関する情報を含む前記ケーブル敷設情報を前記ケーブル敷設情報記憶部から読み出し、前記作業員の一人あたりの前記延線力を前記保有機材情報記憶部から読み出し、前記ケーブルの規格電圧及び前記ケーブルの種類毎に前記ケーブルの質量を近似的に算出するための前記質量近似式を前記質量近似式記憶部から読み出し、前記ケーブルの敷設ルートに関する情報を前記ルート情報記憶部から読み出す情報読み出し手段と、
敷設する前記ケーブルの属性及び前記質量近似式に基づいて前記ケーブルの単位質量を算出する単位質量算出手段と、
敷設する前記ケーブルの前記属性及び前記単位質量に基づいて延線張力を算出する延線張力算出手段と、
前記延線張力、前記作業員の一人あたりの前記延線力、及び前記敷設ルートに関する情報に基づいて前記ケーブルの各前記曲り点の直後の直線部毎に前記作業員の人数を算出する作業人員算出手段と、
として機能させるための延線計画プログラム。
【請求項５】
前記コンピュータは、
ケーブルを曲げる方向を示す情報である曲り方向毎に使用するコロの種類を格納するコロテーブル記憶部をさらに備え、
前記情報読み出し手段はさらに、
前記保有機材に関する情報を前記保有機材情報記憶部から読み出し、曲り方向毎に使用する前記コロの種類を前記コロテーブル記憶部から読み出し、
前記コンピュータを、
前記保有機材に関する情報、曲り方向毎に使用する前記コロの種類、及び前記敷設ルートに関する情報に基づいて曲がり点毎に必要な機材の種類及び数を算出する曲り点別機材算出手段としてさらに機能させるための請求項４記載の延線計画プログラム。
【請求項６】
前記コンピュータは、
情報を出力する表示装置をさらに備え、
前記コンピュータを、
前記敷設ルートに関する情報に基づいて延線ルートを前記表示装置に出力し、前記直線部毎に作業員の配置と人数を前記表示装置に出力し、前記曲がり点毎に必要機材の種類及び数を前記表示装置に出力する情報出力手段としてさらに機能させるための請求項５記載の延線計画プログラム。
【発明の詳細な説明】
【技術分野】
【０００１】
本発明の実施形態は、延線計画装置及び延線計画プログラムに関する。
【背景技術】
【０００２】
例えば、発電プラント等の大型プラントの工事において、動力ケーブル、制御ケーブル、計装ケーブル等のケーブル類を多数敷設する必要がある。これらのケーブルはケーブルラックを用いて敷設されることが多い。
【０００３】
ケーブル延線作業、すなわちケーブルを定められたルートに敷設する作業には前もって延線計画が立案され、ケーブルは延線計画に従って敷設される。延線計画には、敷設するケーブルの種類や数、延線ルート、必要な人員及びその配置、必要な器具や装置の種類と数等が含まれる。
【０００４】
延線計画が適切に立案されていないと、作業の安全、品質、効率の確保に支障をきたし、労働災害や作業工程の遅延が発生する可能性がある。
【０００５】
しかし、延線計画の立案には専門知識やスキル、経験が必要となっており、適切な延線計画を効率的に作成することが困難であった。
【０００６】
この点に関し、電線管を用いてケーブルを敷設する作業に際して延線計画を作成するシステムが提案されている。電線管を用いてケーブルを敷設する場合は電線管の途中に作業員を配置する必要はなく、電線管の入り口と出口に作業員を配置すれば済むため、比較的簡単に延線計画を作成することが可能である。しかし、ケーブルラックを用いてケーブルを敷設する場合はケーブルラックの途中に作業員を配置しなければケーブルを敷設できないため、このシステムをそのまま使用して延線計画を立案することができない。
【先行技術文献】
【特許文献】
【０００７】
【特許文献１】特開２００７−２００００６号公報
【発明の概要】
【発明が解決しようとする課題】
【０００８】
従って、本発明の実施形態はケーブルラックを使用してケーブルを敷設する場合にも効率よく延線計画を立案できる延線計画装置及び延線計画プログラムを提供することを目的とする。
【課題を解決するための手段】
【０００９】
上記の課題を解決するために、本発明の一実施形態は、敷設するケーブルの属性を格納するケーブル基礎情報記憶部と、ケーブルの敷設先のラックに関する情報を含むケーブル敷設情報を格納するケーブル敷設情報記憶部と、作業員一人あたりの延線力を含むケーブルの敷設に用いる保有機材に関する情報を格納する保有機材情報記憶部と、ケーブルの敷設ルートに関する情報をケーブルの各曲り点及び曲り点の直後の直線部毎に格納するルート情報記憶部と、ケーブルの規格電圧及び前記ケーブルの種類毎にケーブルの質量を近似的に算出するための質量近似式を格納する質量近似式記憶部と、敷設するケーブルの属性をケーブル基礎情報記憶部から読み出し、ケーブルの敷設先のラックに関する情報を含むケーブル敷設情報をケーブル敷設情報記憶部から読み出し、作業員一人あたりの延線力を保有機材情報記憶部から読み出し、ケーブルの規格電圧及び前記ケーブルの種類毎にケーブルの質量を近似的に算出するための質量近似式を質量近似式記憶部から読み出し、ケーブルの敷設ルートに関する情報をルート情報記憶部から読み出し、敷設するケーブルの属性及び質量近似式に基づいてケーブルの単位質量を算出し、敷設するケーブルの属性及び単位質量に基づいて延線張力を算出し、延線張力、作業員一人あたりの延線力、及び敷設ルートに関する情報に基づいてケーブルの各曲り点の直後の直線部毎に作業員の人数を算出する制御部と、を備える延線計画装置を提供する。
【図面の簡単な説明】
【００１０】
【図１】延線計画装置の構成を示すブロック図である。
【図２】ケーブル基礎情報記憶部が記憶するデータの内容を示す図である。
【図３】ケーブル敷設情報記憶部が記憶するデータの内容を示す図である。
【図４】保有機材情報記憶部が記憶するデータの内容を示す図である。
【図５】ルート情報記憶部が記憶するデータの内容を示す図である。
【図６】許容張力近似式記憶部が記憶するデータの内容を示す図である。
【図７】質量近似式記憶部が記憶するデータの内容を示す図である。
【図８】コロテーブル記憶部が記憶するデータの内容を示す図である。
【図９】延線計画装置の制御部による延線計画作成動作を示すフローチャートである。
【図１０】延線計画装置の制御部による延線方向決定動作を示すフローチャートである。
【図１１】延線計画装置の制御部によるケーブル許容張力確認動作を示すフローチャートである。
【図１２】延線計画装置の制御部による延線張力算出動作を示すフローチャートである。
【図１３】延線計画装置の制御部によるコロの種類と配置の決定動作を示すフローチャートである。
【図１４】延線計画装置の制御部による作業員配置仮決定動作を示すフローチャートである。
【図１５】延線計画装置の制御部による作業員配置補正動作を示すフローチャートである。
【図１６】延線計画装置が制御部によって入出力部に表示する基礎情報出力部の例を示す図である。
【図１７】延線計画装置が制御部によって入出力部に表示する不足機材情報出力部の例を示す図である。
【図１８】延線計画装置が制御部によって入出力部に表示する詳細情報出力部の例を示す図である。
【図１９】詳細情報を視覚化した延線チャートに用いるアイコンの凡例を示す図である。
【図２０】延線チャートの例を示す図である。
【発明を実施するための形態】
【００１１】
以下、延線計画装置及び延線計画プログラムの一実施形態について、図面を用いて詳細に説明する。
【００１２】
本実施形態の延線計画装置は、敷設するケーブルの属性を格納するケーブル基礎情報記憶部と、ケーブルの敷設先のラックに関する情報を含むケーブル敷設情報を格納するケーブル敷設情報記憶部と、作業員一人あたりの延線力を含むケーブルの敷設に用いる保有機材に関する情報を格納する保有機材情報記憶部と、ケーブルの敷設ルートに関する情報をケーブルの各曲り点及び曲り点の直後の直線部毎に格納するルート情報記憶部と、ケーブルの規格電圧及び前記ケーブルの種類毎にケーブルの質量を近似的に算出するための質量近似式を格納する質量近似式記憶部と、敷設するケーブルの属性をケーブル基礎情報記憶部から読み出し、ケーブルの敷設先のラックに関する情報を含むケーブル敷設情報をケーブル敷設情報記憶部から読み出し、作業員一人あたりの延線力を保有機材情報記憶部から読み出し、ケーブルの規格電圧及び前記ケーブルの種類毎にケーブルの質量を近似的に算出するための質量近似式を質量近似式記憶部から読み出し、ケーブルの敷設ルートに関する情報をルート情報記憶部から読み出し、敷設するケーブルの属性及び質量近似式に基づいてケーブルの単位質量を算出し、敷設するケーブルの属性及び単位質量に基づいて延線張力を算出し、延線張力、作業員一人あたりの延線力、及び敷設ルートに関する情報に基づいてケーブルの各曲り点の直後の直線部毎に作業員の人数を算出する制御部と、を備える。
【００１３】
図１は、延線計画装置１０の構成を示すブロック図である。図１に示すように、延線計画装置１０は、制御部１０１と、記憶部１０２と、入出力部１０３と、通信部１０４と、を備える。延線計画装置１０はいわゆるコンピュータを用いて実現することができる。
【００１４】
制御部１０１は、演算装置であるＣＰＵ（ｃｅｎｔｒａｌ  ｐｒｏｃｅｓｓｉｎｇ  ｕｎｉｔ）を含む。
【００１５】
記憶部１０２は、メモリ、ハードディスクドライブ等の記憶装置を含む。記憶部１０２は、ケーブル基礎情報記憶部１０２Ａと、ケーブル敷設情報記憶部１０２Ｂと、保有機材情報記憶部１０２Ｃと、ルート情報記憶部１０２Ｄと、許容張力近似式記憶部１０２Ｅと、質量近似式記憶部１０２Ｆと、コロテーブル記憶部１０２Ｇと、延線計画プログラム記憶部１０２Ｈと、を有する。記憶部１０２で、いわゆる表計算ソフトを用いる場合には表計算ソフトのセルを用いてもよい。
【００１６】
ケーブル基礎情報記憶部１０２Ａは敷設するケーブルの属性を格納する。ケーブル敷設情報記憶部１０２Ｂはケーブルの敷設先のラックに関する情報を含むケーブル敷設情報を格納する。保有機材情報記憶部１０２Ｃはケーブルの敷設に用いる保有機材に関する情報を格納する。ルート情報記憶部１０２Ｄはケーブルの敷設ルートに関する情報を格納する。許容張力近似式記憶部１０２Ｅはケーブルの規格電圧及びケーブルの種類毎にケーブルの許容張力を近似的に算出するための許容張力近似式を格納する。質量近似式記憶部１０２Ｆはケーブルの規格電圧及びケーブルの種類毎にケーブルの質量を近似的に算出するための質量近似式を格納する。コロテーブル記憶部１０２Ｇは曲り方向毎に、すなわち曲り点におけるケーブルを曲げる方向と角度毎に使用するコロの種類を格納する。
【００１７】
延線計画プログラム記憶部１０２Ｈは延線計画プログラムを格納する。制御部１０１は、延線計画プログラム記憶部１０２Ｈから延線計画プログラムを順次読み出して実行する。延線計画プログラムは通常のコンピュータプログラム言語によって記載されていても、いわゆる表計算ソフトの形により記載されていてもよい。
【００１８】
入出力部１０３は、表示装置であるディスプレイ、キーボード、マウス等の入出力装置を含む。
【００１９】
通信部１０４は、外部機器と通信を行う通信装置を含む。通信部１０４はプリンタ、外部記憶装置等と接続してもよい。
【００２０】
図２は、ケーブル基礎情報記憶部１０２Ａが記憶するデータの内容を示す図である。図２に示すように、ケーブル基礎情報記憶部１０２Ａは、ケーブルの規格電圧を示す「電圧」と、ケーブルの種類を示す「種類」と、ケーブルの断面積を示す「サイズ」と、ケーブルが有する心線の数を示す「心数」と、ケーブルの納入荷姿を示す「荷姿」と、を格納する。
【００２１】
各データの例は、電圧が「６６００」（Ｖ）、種類が「ＣＶＴ」、サイズが「２００」（ｍｍ２）、心数が「３」、荷姿が「ドラム」である。
【００２２】
図３は、ケーブル敷設情報記憶部１０２Ｂが記憶するデータの内容を示す図である。図３に示すように、ケーブル敷設情報記憶部１０２Ｂは、ラック情報と、ケーブルの把持方法を示す「ケーブル把持方法」と、施工時の季節を示す「施工時季節」と、を格納する。
【００２３】
ラック情報は、例えば敷設先のケーブルラックの材質を示す「材質」と、ケーブルラックの「高さ」及び「幅」と、敷設先のケーブルラックに既にケーブルが敷設されているか否かを示す「既設ケーブル」と、を含む。
【００２４】
各データの例は、材質が「アルミ」、高さが「８０」（ｍｍ）、幅が「８００」（ｍｍ）、既設ケーブルが「有り」、ケーブル把持方法が「ケーブルグリップ」、施工時季節が「夏」である。
【００２５】
図４は、保有機材情報記憶部１０２Ｃが記憶するデータの内容を示す図である。図４に示すように、保有機材情報記憶部１０２Ｃは、作業員に関する情報である「作業員情報」と、延線機に関する情報である「延線機情報」と、ジャッキの台数を示す「ジャッキ」と、ターンテーブルの台数を示す「ターンテーブル」と、直線コロの台数を示す「直線コロ」と、角コロの台数を示す「角コロ」と、片持ちコロの台数を示す「片持ちコロ」と、コーナーコロの台数を示す「コーナーコロ」と、吊金車の台数を示す「吊金車」と、を格納する。
【００２６】
作業員情報は、一人あたりのケーブルを引く力である延線力を示す「延線力」と、当該延線力を有する作業員の人数を示す「人数」と、を含む。
【００２７】
延線機情報は、ケーブルを引く延線機の使用の有無を示す「使用有無」と、延線機のケーブルを引く力である延線能力を示す「能力」と、延線機の台数を示す「台数」と、を含む。
【００２８】
各データの例は、延線力が「２５」（ｋｇｆ）、人数が「１１」（人）、使用有無が「いいえ」、能力が「１６０」（ｋｇｆ）、台数が「１」（台）、ジャッキが「２」（台）、ターンテーブルが「１」（台）、直線コロが「２０」（個）、角コロが「２０」（個）と、片持ちコロが「２」（個）、コーナーコロが「１」（個）、吊金車が「２０」（個）である。
【００２９】
図５は、ルート情報記憶部１０２Ｄが記憶するデータの内容を示す図である。図５に示すように、ルート情報記憶部１０２Ｄは、ケーブルを曲げて敷設する点である曲り点に固有に割り当てられる識別子である「曲り点ＩＤ」毎に、ケーブルを曲げる方向である「曲り方向」と、曲り点から次の曲り点までの直線距離を示す「直線距離」と、直線路の種類を示す「直線路種類」と、を格納する。
【００３０】
ルート情報記憶部１０２Ｄがいわゆる表計算ソフトのセルに格納される場合は、各セルの配置を自由に選択することができる。例えば、「曲り方向」の下に「直線距離」を配置してもよい。また、ルート情報記憶部１０２Ｄがいわゆる表計算ソフトのセルに格納される場合は、「曲り点ＩＤ」は省略することもできる。
【００３１】
例えば１行目の各データの例は、曲り点ＩＤが「００１」、曲り方向が始点を示す「ＳＴＡＲＴ」、直線距離が「５」（ｍ）、直線路種類が「ピット」である。
【００３２】
ここで、曲り方向を記載する曲り記号の例を説明する。曲り記号は３バイトにより記載される。水平曲りの場合、アルファベット１バイト及び数字２バイトを含む。アルファベットは、右曲りを示す「Ｒ」、左曲りを示す「Ｌ」、上曲りを示す「Ｕ」、下曲りを示す「Ｄ」の中から選択される。数字は９０°を示す「９０」、４５°を示す「４５」、３０°を示す「３０」の中から選択される。
【００３３】
例えば「Ｒ９０」は水平曲りの曲り記号の例であり、右方向に９０°曲がることを示す。
【００３４】
また、上下方向から水平に戻る場合の曲り記号は曲がる前の方向を示すアルファベット２バイトと、曲がった後の方向を示すアルファベット１バイトと、を含む。
【００３５】
曲がる前の方向を示すアルファベット２バイトは、上りから水平を示す「ＵＦ」、下りから水平を示す「ＤＦ」の中から選択される。曲がった後の方向を示すアルファベット１バイトは、前を示す「Ｆ」、後ろを示す「Ｂ」、右を示す「Ｒ」、左を示す「Ｌ」の中から選択される。
【００３６】
例えば「ＵＦＦ」は上方向から水平に戻る場合の曲り記号の例であり、上り方向から前方水平方向を示す。
【００３７】
図６は、許容張力近似式記憶部１０２Ｅが記憶するデータの内容を示す図である。図６に示すように、許容張力近似式記憶部１０２Ｅは、ケーブルの規格電圧を示す「電圧」と、ケーブルの種類を示す「種類」と、許容張力を近似的に算出する式である「許容張力近似式」と、を格納する。
【００３８】
各データの例は、電圧が「６６００」（Ｖ）、種類が「ＣＶＴ」、許容張力近似式が「Ｓ１×Ａ１＋Ｂ１」である。ここで、Ｓ１はケーブルのシースの断面積（ｍｍ２）、Ａ１及びＢ１は経験値から算定した定数を示す。
【００３９】
図７は、質量近似式記憶部１０２Ｆが記憶するデータの内容を示す図である。図７に示すように、質量近似式記憶部１０２Ｆは、ケーブルの規格電圧を示す「電圧」と、ケーブルの種類を示す「種類」と、質量を近似的に算出する式である「質量近似式」と、を格納する。
【００４０】
各データの例は、電圧が「６６００」（Ｖ）、種類が「ＣＶＴ」、質量近似式が「Ｓ２×Ａ２＋Ｂ２」である。ここで、Ｓ２はケーブルの導体断面積（ｍｍ２）、Ａ２及びＢ２は経験値から算定した定数を示す。
【００４１】
図８は、コロテーブル記憶部１０２Ｇが記憶するデータの内容を示す図である。図８に示すように、コロテーブル記憶部１０２Ｇは、「曲り方向」と、使用するコロの種類を示す「使用コロ」と、を格納する。「使用コロ」は、既設のケーブルがない場合の使用コロを示す「ケーブル無」と、既設のケーブルがある場合の使用コロを示す「ケーブル有」と、を格納する。
【００４２】
各データの例は、曲り方向が「Ｌ９０」、ケーブル無が「コーナーコロ」、ケーブル有が「角コロ」である。
【００４３】
図９は、延線計画装置１０の制御部１０１による延線計画作成動作を示すフローチャートである。図９に示すように、ステップ９０１において、制御部１０１は延線方向決定動作を行う。延線方向に上下方向の変化がある場合、ケーブルを上から下に敷設する場合と、下から上に敷設する場合とでは敷設する労力に差がある場合がある。この延線方向決定動作により、延線方向に上下方向の変化がある場合、ケーブルを上から下へ敷設するか、又はケーブルを下から上へ敷設するかのいずれかが選択される。
【００４４】
ステップ９０２において、制御部１０１はケーブル許容張力確認動作を行う。このケーブル許容張力確認動作により、使用するケーブルの許容張力が算出される。
【００４５】
ステップ９０３において、制御部１０１は延線張力算出動作を行う。この延線張力算出動作により、ケーブルを引く力である延線張力が算出される。
【００４６】
ステップ９０４において、制御部１０１はコロの種類と配置の決定動作を行う。このコロの種類と配置の決定動作により、延線ルートのどこにどのような種類のコロを配置するかが決定される。
【００４７】
ステップ９０５において、制御部１０１は作業員配置仮決定動作を行う。この作業員配置仮決定動作により、作業員の配置が仮に決定される。
【００４８】
ステップ９０６において、制御部１０１は作業員配置補正動作を行う。この作業員配置補正動作により、作業員の配置が補正される。
【００４９】
ステップ９０７において、制御部１０１はコメント表示動作を行う。このコメント表示動作により、各種のコメントが入出力部１０３に表示される。
【００５０】
図１０は、延線計画装置１０の制御部１０１による延線方向決定動作（９０１）を示すフローチャートである。図１０に示すように、ステップ１００１において、制御部１０１はルート情報記憶部１０２Ｄから上昇方向の距離を積算する。具体的には、制御部１０１は曲り方向の１バイト目が「Ｕ」であるデータの直線距離を順次加算する。
【００５１】
ステップ１００２において、制御部１０１はルート情報記憶部１０２Ｄから下降方向の距離を積算する。具体的には、制御部１０１は曲り方向の１バイト目が「Ｄ」であるデータの直線距離を順次加算する。
【００５２】
ステップ１００３において、制御部１０１は上昇方向の積算距離が下降方向の積算距離未満であるかを判定する。制御部１０１は上昇方向の積算距離が下降方向の積算距離未満であると判定した場合、ステップ１００４に進み、上昇方向の積算距離が下降方向の積算距離未満でないと判定した場合、ステップ１００６に進む。
【００５３】
ステップ１００４において、制御部１０１は下降方向に延線する旨を決定する。
【００５４】
ステップ１００５において、制御部１０１は下降方向に延線する旨のコメントを入出力部１０３に表示する。
【００５５】
ステップ１００６において、制御部１０１は上昇方向に延線する旨を決定する。
【００５６】
ステップ１００７において、制御部１０１は上昇方向に延線する旨のコメントを入出力部１０３に表示する。
【００５７】
図１１は、延線計画装置１０の制御部１０１によるケーブル許容張力確認動作（９０２）を示すフローチャートである。図１１に示すように、ステップ１１０１において、制御部１０１は使用するケーブルの延線許容張力の入力があったかを判定する。制御部１０１は、使用するケーブルの延線許容張力の入力があった場合、この延線許容張力を許容延線張力として処理を終了する。
【００５８】
制御部１０１は、使用するケーブルの延線許容張力の入力がない場合、ステップ１１０２に進む。
【００５９】
ステップ１１０２において、制御部１０１はケーブル把持方法を判定する。制御部１０１はケーブル把持方法が「ケーブルグリップ」であった場合、ステップ１１０３に進み、ケーブル把持方法が「プーリングアイ」であった場合、ステップ１１０４に進む。
【００６０】
ステップ１１０３において、制御部１０１は許容張力近似式に基づいて許容張力を算出する。具体的には、制御部１０１はケーブル基礎情報記憶部１０２Ａからケーブルの種類を示すデータを読込み、読込んだケーブルの種類に基づいて許容張力近似式記憶部１０２Ｅを検索し、許容張力近似式を読み出す。
【００６１】
延線計画装置１０は、記憶部１０２に規格電圧、ケーブル種類、サイズ、心数によって定まるシース断面積を格納するシース断面積テーブルを予め格納する。
【００６２】
制御部１０１は、シース断面積テーブルからケーブル基礎情報記憶部１０２Ａに格納される規格電圧、ケーブル種類、サイズ、心数に基づいてシース断面積を示すデータを読み出す。
【００６３】
制御部１０１は、許容張力近似式にシース断面積を代入して許容張力を算出する。
【００６４】
ステップ１１０４において、制御部１０１は導体断面積及び心数に基づいて許容張力を算出する。
【００６５】
延線計画装置１０は、記憶部１０２に規格電圧、ケーブル種類、サイズ、心数によって定まる導体断面積を格納する導体断面積テーブルを予め格納する。
【００６６】
制御部１０１は導体断面積テーブルからケーブル基礎情報記憶部１０２Ａに格納される規格電圧、ケーブル種類、サイズ、心数に基づいて導体断面積を示すデータを読み出す。
【００６７】
制御部１０１は、導体断面積に心数と定数Ｃ２を乗じて許容張力を算出する。
【００６８】
図１２は、延線計画装置１０の制御部１０１による延線張力算出動作（９０３）を示すフローチャートである。図１２に示すように、ステップ１２０１において、制御部１０１はケーブル単位質量の入力があったかを判定する。制御部１０１はケーブル単位質量の入力があったと判定した場合、ステップ１２０３に進み、入力がなかったと判定した場合、ステップ１２０２に進む。
【００６９】
ステップ１２０２において、制御部１０１はケーブル基礎情報記憶部１０２Ａからケーブルの規格電圧と種類を示すデータを読み出し、読み出した規格電圧と種類に基づいて質量近似式記憶部１０２Ｆから質量近似式を読み出す。
【００７０】
制御部１０１は導体断面積テーブルからケーブル基礎情報記憶部１０２Ａに格納される規格電圧、ケーブル種類、サイズ、心数に基づいて導体断面積を示すデータを読み出す。
【００７１】
制御部１０１は質量近似式に導体断面積を代入してケーブルの単位質量を算出する。
【００７２】
ステップ１２０３において、制御部１０１は張力増幅率を決定する。延線計画装置１０は、記憶部１０２に「既設ケーブル」及び「施工時季節」等の変数毎に経験的に定めた係数である張力増幅率を記憶する張力増幅率テーブルを予め格納する。
【００７３】
制御部１０１は、ケーブル敷設情報記憶部１０２Ｂから読み出した「既設ケーブル」及び「施工時季節」等の変数の値に基づいて張力増幅テーブルを検索し、張力増幅率を示すデータを読み出す。
【００７４】
ステップ１２０４において、制御部１０１はケーブルの単位質量、直線部分のケーブルの長さ、及び張力増幅率から直線部毎の延線張力を計算する。
【００７５】
図１３は、延線計画装置１０の制御部１０１によるコロの種類と配置の決定動作（９０４）を示すフローチャートである。図１３に示すように、ステップ１３０１において、制御部１０１はルート情報記憶部１０２Ｄから曲り点の曲り方向と角度を示すデータを読込む。
【００７６】
ステップ１３０２において、制御部１０１は曲り方向と角度を示すデータとケーブル敷設情報記憶部１０２Ｂに格納された既設ケーブルの有無を示すデータに基づいてコロテーブル記憶部１０２Ｇから使用コロの種類を示すデータを読込む。
【００７７】
ステップ１３０３において、制御部１０１は記憶部１０２に別途設けられる詳細情報記憶欄の曲り点にコロの配置を示すデータ、例えば「角コロ」を配置する場合は「角コロ」を格納する。詳細情報記憶欄はいわゆる表計算ソフトを用いる場合には表計算ソフトのセルを用いることができる。
【００７８】
ステップ１３０４において、制御部１０１はケーブルの単位質量が閾値を超えているかを判定する。制御部１０１はケーブルの単位質量が閾値を超えていると判定した場合、ステップ１３０５に進み、閾値を超えていないと判定した場合、処理を終了する。
【００７９】
ステップ１３０５において、制御部１０１はルート情報記憶部１０２Ｄから直線路種類を示すデータを読み出し、直線路種類が電線管であるかを判定する。制御部１０１は直線路種類が電線管である場合、処理を終了し、電線管でない場合、ステップ１３０６に進む。
【００８０】
ステップ１３０６において、制御部１０１は詳細情報記憶欄の直線部にコロの配置を示すデータを格納する。
【００８１】
図１４は、延線計画装置１０の制御部１０１による作業員配置仮決定動作（９０５）を示すフローチャートである。図１４に示すように、ステップ１４０１において、制御部１０１はルート情報記憶部１０２Ｄの曲り方向を示すデータの数字部分から曲り点の曲り角度を読込む。
【００８２】
ステップ１４０２において、制御部１０１は曲り角度が９０°の曲り点につき出力情報記憶欄の曲り点を示す欄に作業員を１名配置することを格納する。
【００８３】
ステップ１４０３において、制御部１０１はステップ１２０３において算出した延線張力を保有機材情報記憶部１０２Ｃが記憶する作業員一人当たりの延線力によって除算して作業員の必要数を算出し、詳細情報記憶欄の直線部を示す欄に算出した作業員の必要数を格納する。
【００８４】
ステップ１４０４において、制御部１０１は作業員の必要人数の積算値を算出する。
【００８５】
ステップ１４０５において、制御部１０１は積算値が保有機材情報記憶部１０２Ｃに格納された作業員情報の人数を超えているかを判定する。制御部１０１は、積算値が作業員情報の人数を超えていたと判定した場合、ステップ１４０６に進み、超えていないと判定した場合、ステップ１４０７に進む。
【００８６】
ステップ１４０６において、制御部１０１は「８の字かき」を行う旨の指示を詳細情報記憶欄に格納する。
【００８７】
ここで、「８の字かき」はケーブルを８の字に積み重ねて行く動作を示す。
【００８８】
ステップ１４０７において、制御部１０１は保有機材情報記憶部１０２Ｃから延線機情報の使用の有無を示すデータを読込み、延線機を使用するか否かを判定する。制御部１０１は、延線機を使用すると判定した場合、ステップ１４０８に進み、使用しないと判定した場合、処理を終了する。
【００８９】
ステップ１４０８において、制御部１０１は作業員が３名以上配置されている場所に延線機を１台ずつ配置する旨のデータを詳細情報記憶欄に格納する。
【００９０】
図１５は、延線計画装置１０の制御部１０１による作業員配置補正動作を示すフローチャートである。図１５に示すように、ステップ１５０１において、制御部１０１は曲り点に配置された作業員を示すデータを直前の水平直線部に移動するように出力情報記憶欄の内容を補正する。
【００９１】
ステップ１５０２において、制御部１０１はケーブルが傾斜又は垂直に敷設される部分の直線部に配置された作業員を示すデータを直後の水平直線部に移動するように出力情報記憶欄の内容を補正する。
【００９２】
図１６は、延線計画装置１０が制御部１０１によって入出力部１０３に表示する基礎情報出力部１６０１の例を示す図である。図１６に示すように、基礎情報出力欄１６０１は、ケーブルの長さ、ケーブルの質量、ケーブルの単位質量、許容延線張力を含む。基礎情報出力欄１６０１はいわゆる表計算ソフトを用いる場合には表計算ソフトのセルを用いることができる。
【００９３】
図１７は、延線計画装置１０が制御部１０１によって入出力部１０３に表示する不足機材情報出力欄１７０１の例を示す図である。図１７に示すように、制御部１０１は、機材の種類毎に集計した必要機材の数を保有機材の数から減算して不足機材の数を算出し、不足機材情報出力部１７０１に機材の種類毎に不足数を不足機材情報出力欄１７０１に出力する。不足機材情報出力欄１７０１はいわゆる表計算ソフトを用いる場合には表計算ソフトのセルを用いることができる。
【００９４】
図１８は、延線計画装置１０が制御部１０１によって入出力部１０３に表示する詳細情報出力欄１８０１の例を示す図である。図１８に示すように、制御部１０１は詳細情報出力欄１８０１に詳細情報として、曲り点ＩＤと、曲り点に使用する機材の種類を示す「曲り点機材」と、曲り点機材の数量と、当該曲り点の直後の直線部に使用する機材を示す「直線部機材」と、直線部機材の数量と、当該直線部の作業員の人数と、当該直線部に使用する延線機の台数と、８の字書きの有無と、を出力する。詳細情報出力欄１８０１はいわゆる表計算ソフトを用いる場合には表計算ソフトのセルを用いることができる。
【００９５】
図１８には、曲り点ＩＤ毎に詳細情報を示す例を示したが、いわゆる表計算ソフトを使用する場合等には、曲り点に関する情報の下に当該曲り点の直後の直線部に関する情報を出力してもよい。
【００９６】
図１９は、詳細情報を視覚化した延線チャート２００１に用いるアイコンの凡例を示す図である。図２０は、延線チャート２００１の例を示す図である。
【００９７】
図１９及び図２０に示すように、制御部１０１は入出力部１０３に詳細情報を視覚化した延線チャート２００１を出力してもよい。
【００９８】
制御部１０１は、ルート情報記憶部１０２Ｄから曲り方向と直線距離を読み出し、「ドラムヤード」をＳＴＡＲＴ地点として矢印によりルートを描画する。
【００９９】
次に、制御部１０１は出力情報記憶欄から詳細情報を読み出して、該当する曲り点及び直線部に機材の種類と数、及び作業員の人数を表示する。
【０１００】
以上述べたように、本実施形態の延線計画装置１０は、制御部１０１は敷設するケーブルの属性、ケーブルの敷設先のラックに関する情報を含むケーブル敷設情報、及び許容張力近似式に基づいてケーブル許容張力を算出する。制御部１０１は敷設するケーブルの属性及び質量近似式に基づいて延線張力を算出する。制御部１０１は敷設するケーブルの属性及び質量近似式に基づいてケーブルの単位質量を算出する。制御部１０１はケーブルの単位質量、延線張力、及び敷設ルートに関する情報に基づいて各曲り点の直後の直線部毎に作業員の人数を算出する。
【０１０１】
従って、ケーブルラックを使用してケーブルを敷設する場合にも効率よく延線計画を立案できるという効果がある。
【０１０２】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０３】
１０１：制御部
１０２：記憶部
１０２Ａ：ケーブル基礎情報記憶部
１０２Ｂ：ケーブル敷設情報記憶部
１０２Ｃ：保有機材情報記憶部
１０２Ｄ：ルート情報記憶部
１０２Ｅ：許容張力近似式記憶部
１０２Ｆ：質量近似式記憶部
１０２Ｇ：コロテーブル記憶部
１０３：入出力部
【図１】
0006359900.tif 000002
【図２】
0006359900.tif 000003
【図３】
0006359900.tif 000004
【図４】
0006359900.tif 000005
【図５】
0006359900.tif 000006
【図６】
0006359900.tif 000007
【図７】
0006359900.tif 000008
【図８】
0006359900.tif 000009
【図９】
0006359900.tif 000010
【図１０】
0006359900.tif 000011
【図１１】
0006359900.tif 000012
【図１２】
0006359900.tif 000013
【図１３】
0006359900.tif 000014
【図１４】
0006359900.tif 000015
【図１５】
0006359900.tif 000016
【図１６】
0006359900.tif 000017
【図１７】
0006359900.tif 000018
【図１８】
0006359900.tif 000019
【図１９】
0006359900.tif 000020
【図２０】
0006359900.tif 000021